(57)【要約】  各階に設置した監視カメラの映像を記録する監視レコーダーが出力する複数の監視カメラ映像を、エレベーターの停止階に応じて、対応する階の映像をエレベーター乗客に見え易く表示できるエレベーター用映像表示装置を提供する。監視カメラ映像信号を複数に分割してそれぞれ分割映像信号とし、この分割映像信号のそれぞれをモニターの画面に合わせた縮小映像信号とし、エレベーター制御部から受信した次に停止する階を表す次停止階情報と、これら分割映像信号のそれぞれが、どの階の監視カメラの映像に対応しているかを示す各階映像対応表とを用いて、次に停止する階の分割映像信号を縮小又は必要に応じて拡大した縮小・拡大映像信号とし、次停止階情報及び各階映像対応表を用いて、縮小映像信号及び縮小・拡大映像信号を用いて画面配列し表示映像信号とてモニターに出力する。
2018008093.tif 000002
【特許請求の範囲】
【請求項１】
複数階に設置された監視カメラからの映像を監視レコーダーで格子状に並べて一つの映像として構成された映像信号を入力し、前記映像信号を複数に分割してそれぞれ分割映像信号としてメモリに記憶する映像入力分割部と、
前記分割映像信号のそれぞれが、どの階の監視カメラの映像に対応しているかを示す各階映像対応表を予め記憶した各階映像対応表記憶部と、
前記分割映像信号のそれぞれを前記メモリから読み出してモニターの画面に合わせて縮小し、縮小映像信号として前記メモリに記憶する映像縮小制御部と、
エレベーター制御部から受信した次に停止する階を表す次停止階情報と、前記各階映像対応表とを用いて、前記次に停止する階の分割映像信号を前記メモリから読み出して縮小又は必要に応じて拡大し、縮小・拡大映像信号として前記メモリに記憶する映像縮小・拡大制御部と、
前記次停止階情報及び前記各階映像対応表を用いて、前記メモリに記憶した前記縮小映像信号及び前記縮小・拡大映像信号を用いて画面配列し表示映像信号とする映像配列部と、
前記表示映像信号を前記モニターに出力する映像出力部とを備えた
エレベーター用映像表示装置。
【請求項２】
前記映像信号の全体解像度、分割数、前記モニターの解像度、前記縮小映像信号の解像度、前記縮小・拡大映像信号の解像度、並びに前記縮小映像信号及び前記縮小・拡大映像信号を生成するときのアスペクト比を予め記憶した映像解像度記憶部をさらに備えた
請求項１に記載のエレベーター用映像表示装置。
【請求項３】
前記エレベーター制御部から受信した次以降に停止する予定の停止予定階情報と、前記各階映像対応表とを用いて、前記メモリに記憶した前記縮小映像信号のうち、停止しない階の縮小映像信号を加工し縮小加工映像信号として前記メモリに記憶する映像加工部をさらに備え、
前記映像配列部は、前記縮小映像信号及び前記縮小・拡大映像信号に加えて前記縮小加工映像信号を用いて画面配列し前記表示映像信号とする
請求項２に記載のエレベーター用映像表示装置。
【請求項４】
前記映像縮小制御部は、前記アスペクト比に基づいて前記映像信号をトリミング処理又は上下黒帯追加処理を行って前記縮小映像信号を生成する
請求項２に記載のエレベーター用映像表示装置。
【請求項５】
前記映像配列部は、前記次停止階情報及び前記停止予定階情報に基づき、次以降に停止する階の前記縮小映像信号を停止する順番に画面配列する
請求項３に記載のエレベーター用映像表示装置。
【請求項６】
前記映像配列部は、前記次停止階情報及び前記停止予定階情報に基づき、エレベーターが、次以降に停止する予定の階が無い場合、前記縮小加工映像信号を、現在停止しない予定の階であっても、前記エレベーターを運行して停止させる可能性のある順に画面配列する
請求項３に記載のエレベーター用映像表示装置。
【請求項７】
前記映像配列部は、前記画面配列した前記縮小映像信号、前記縮小加工映像信号、及び前記縮小・拡大映像信号に、前記各階映像対応表を用いて、階を示す階床情報を含める
請求項３に記載のエレベーター用映像表示装置。
【請求項８】
前記映像配列部は、前記縮小映像信号、前記縮小・拡大映像信号、及び前記縮小加工映像信号を表示可能な範囲で画面配列した第１の画面と、前記縮小・拡大映像信号と、前記第１の画面とは異なる前記縮小映像信号、及び前記縮小加工映像信号で配置した第２の画面を前記メモリに記憶し、
前記映像出力部は、前記第１の画面及び前記第２の画面を交互に出力する
請求項３に記載のエレベーター用映像表示装置。
【請求項９】
前記映像配列部は、前記第１の画面及び前記第２の画面と同様な画面を複数用意して前記メモリに記憶し、前記映像出力部は、それら画面を前記メモリから読み出して、切り換えて表示する
請求項８に記載のエレベーター用映像表示装置。
【発明の詳細な説明】
【技術分野】
【０００１】
本発明は、エレベーター用映像表示装置に関し、特にエレベーターかご又はエレベーター乗場等に設置される監視カメラ等で撮影された映像を、エレベーターかご内に設置されたモニター等に表示するエレベーター用映像表示装置に関するものである。
【背景技術】
【０００２】
近年、防犯意識の高まりによって、ビルや駅、エレベーター等の様々な公共施設に、監視カメラや監視レコーダーの設置が進み、特にエレベーターにおいては、閉じ込められた空間内での防犯目的に監視カメラが設置され、監視センターで監視するとともに、エレベーターかご内に設置されたモニターに表示することで犯罪を未然に防ぐ機能が一般的に普及している。【０００３】
一方、エレベーターの各階に設置された複数の監視カメラの映像を、エレベーターの運転状況に合わせて切り替え、エレベーターの乗客向けに、降りる階の状況を表示するエレベーター監視装置がある（例えば、特許文献１参照）。【０００４】
また、デジタル映像技術、映像圧縮技術、及び映像データ蓄積技術等が発展し、それらの技術を応用して構成する監視カメラ及び監視レコーダーシステムも急速に発展している。監視カメラ映像はハイビジョン映像となり、監視レコーダーは、ハイビジョン映像を記録、表示することに加え、複数の監視カメラ映像を一つの画面上に、同時に表示することが可能になっている。例えば、一つの画面を、４分割、９分割、又は１６分割のように分割し格子状に並べて一括表示するエレベーター監視装置がある（例えば、特許文献２参照）。
【先行技術文献】
【特許文献】
【０００５】
【特許文献１】特開平８−７３１４６号公報
【特許文献２】特開２０００−３５１５４６号公報
【発明の概要】
【発明が解決しようとする課題】
【０００６】
監視レコーダーが出力する複数の監視カメラの映像を一つの画面上に表示した映像は、デジタル映像技術の進化によって、フルハイビジョンと呼ばれる、解像度が１９２０ドット×１０８０ドットのハイビジョンモニターで表示することが可能となってきており、その解像度は、今度さらに高解像度化する傾向にある。【０００７】
一方、エレベーターかご内に設置されるモニターは、エレベーターの乗客とモニター設置位置との関係を考慮し、例えば、５インチ程度の液晶パネルを設置して、エレベーターの乗客向けに、エレベーターの運行情報や、カメラの映像等を提供している。【０００８】
そのため、監視レコーダーが出力する複数の監視カメラの映像を一つの画面上に表示した映像を、５インチ程度のモニターに表示すると、それぞれの映像が小さくなってしまい、エレベーターの乗客にとって分かり難いという問題があった。
また、複数の監視カメラ映像を同時に表示することができるが、どの映像がどの階の映像で、どの映像が次に停止する階の映像なのか、分かり難いという問題があった。【０００９】
本発明は、上記の課題を解決するためになされたものであり、各階に設置した監視カメラの映像を記録する監視レコーダーが出力する複数の監視カメラ映像を、エレベーターの停止階に応じて、対応する階の映像をエレベーター乗客に見え易く表示してエレベーター乗客の降車時の安全性を向上させたエレベーター用映像表示装置を提供することを目的とする。
【課題を解決するための手段】
【００１０】
上記の目的を達成する為、本発明に係るエレベーター用映像表示装置は、複数階に設置された監視カメラからの映像を監視レコーダーで格子状に並べて一つの映像として構成された映像信号を入力し、前記映像信号を複数に分割してそれぞれ分割映像信号としてメモリに記憶する映像入力分割部と、前記分割映像信号のそれぞれが、どの階の監視カメラの映像に対応しているかを示す各階映像対応表を予め記憶した各階映像対応表記憶部と、前記分割映像信号のそれぞれを前記メモリから読み出してモニターの画面に合わせて縮小し、縮小映像信号として前記メモリに記憶する映像縮小制御部と、エレベーター制御部から受信した次に停止する階を表す次停止階情報と、前記各階映像対応表とを用いて、前記次に停止する階の分割映像信号を前記メモリから読み出して縮小又は必要に応じて拡大し、縮小・拡大映像信号として前記メモリに記憶する映像縮小・拡大制御部と、前記次停止階情報及び前記各階映像対応表を用いて、前記メモリに記憶した前記縮小映像信号及び前記縮小・拡大映像信号を用いて画面配列し表示映像信号とする映像配列部と、前記表示映像信号を前記モニターに出力する映像出力部とを備えている。
【発明の効果】
【００１１】
本発明によれば、監視カメラ映像信号を複数に分割してそれぞれ分割映像信号とし、この分割映像信号のそれぞれをモニターの画面に合わせた縮小映像信号とし、エレベーター制御部から受信した次に停止する階を表す次停止階情報と、これら分割映像信号のそれぞれが、どの階の監視カメラの映像に対応しているかを示す各階映像対応表とを用いて、次に停止する階の分割映像信号を縮小又は必要に応じて拡大した縮小・拡大映像信号とし、次停止階情報及び各階映像対応表を用いて、縮小映像信号及び縮小・拡大映像信号を用いて画面配列し表示映像信号とてモニターに出力するように構成したので、監視カメラが設置された階のエレベーター乗場の映像が表示され、かつ、エレベーターの停止する階の映像が拡大して表示されるので、エレベーター利用者は、次に停止する階の映像、及び今後停止する階の映像を容易に確認することができる。
【図面の簡単な説明】
【００１２】
【図１】本発明の実施の形態１によるエレベーター用映像表示装置の構成を示すブロック図である。
【図２】本発明の実施の形態１によるエレベーター用映像表示装置に入力される映像を示す図である。
【図３】本発明の実施の形態１によるエレベーター用映像表示装置に入力される映像の座標を説明するための図である。
【図４】本発明の実施の形態１によるエレベーター用映像表示装置における各階の映像対応表を示す図である。
【図５】本発明の実施の形態１によるエレベーター用映像表示装置におけるトリミング処理を施した表示例を示す図である。
【図６】本発明の実施の形態１によるエレベーター用映像表示装置における上下黒帯追加処理を施した表示例を示す図である。
【図７】本発明の実施の形態１によるエレベーター用映像表示装置におけるモニターでの表示例を示す図である。
【図８】本発明の実施の形態１によるエレベーター用映像表示装置において、エレベーターが３階に到着する前のモニターの表示例を示す図である。
【図９】本発明の実施の形態１によるエレベーター用映像表示装置において、エレベーターが３階に到着する前のモニターでの、別の表示例を示す図である。
【図１０】本発明の実施の形態１によるエレベーター用映像表示装置において、エレベーターが９階に到着する前のモニターの表示例を示す図である。
【図１１】本発明の実施の形態２によるエレベーター用映像表示装置において、エレベーターが３階に到着する前のモニターの表示例を示す図である。
【図１２】本発明の実施の形態２によるエレベーター用映像表示装置において、エレベーターが４階に到着する前のモニターの表示例を示す図である。
【図１３】本発明の実施の形態２によるエレベーター用映像表示装置において、エレベーターが６階に到着する前のモニターの表示例を示す図である。
【図１４】本発明の実施の形態２によるエレベーター用映像表示装置において、モニターの表示例で、階床情報の追加を示した図である。
【図１５】本発明の実施の形態３によるエレベーター用映像表示装置において、エレベーターが１階から２０階に到着するまでの間に、（ａ）〜（ｃ）に示すように画面切り替えされるモニターの表示例を示した図である。
【発明を実施するための形態】
【００１３】
以下、本発明の各実施の形態によるエレベーター用映像表示装置を、上記の添付図面を参照して詳細に説明する。
【００１４】
実施の形態１．
本実施の形態に係るエレベーター用映像表示装置の構成を概略的に示す図１において、映像表示装置１０は、監視レコーダー１１と、映像信号ケーブルで接続されている。この映像信号ケーブルは、ハイビジョンの映像信号に対応するため、ＨＤＭＩ（Ｈｉ−Ｄｅｆｉｎｉｔｉｏｎ  Ｍｕｌｔｉｍｅｄｉａ  Ｉｎｔｅｒｆａｃｅ：登録商標）や、ＤＶＩ（Ｄｉｇｉａｌ  Ｖｉｄｅｏ  Ｉｎｔｅｒｆａｃｅ）、Ｄｉｓｐｌａｙ  Ｐｏｒｔ等の、デジタル映像信号用のケーブルが使用される。
【００１５】
監視レコーダー１１は、各階に設置された複数の監視カメラ１２に接続されている。各監視カメラ１２からは、監視レコーダー１１に、撮影した映像が送信され、監視レコーダー１１では、複数の監視カメラ映像を、格子状に並べて、一つの映像信号として出力する。
【００１６】
監視レコーダー１１が、映像表示装置１０に出力する映像の例を図２に示す。図２において、映像の解像度は、１９２０ドット×１０８０ドットのフルハイビジョンサイズであり、１６個の領域に分割されている。分割された各映像を、“Ｖ１”〜“Ｖ１６”とする。フルハイビジョンの縦横それぞれを４等分しているため、それぞれの映像の解像度は、４８０ドット×２７０ドットになる。
【００１７】
図１に戻って、エレベーター（図示せず）の運行制御を行うエレベーター制御部１３は、エレベーターが停止する階の情報や、運行方向（上下方向）等の情報を、映像表示装置１０に送信する。モニター１４は、映像表示装置１０から出力される映像を表示する。
【００１８】
映像表示装置１０は、映像データを一時的に保存するメモリ１０１を内蔵している。映像入力分割部１０２は、監視レコーダー１１から送信される複数の監視カメラ１２の映像を一つの画面上に表示した映像（例えば、図２に示す映像）を入力し、それぞれの映像に分割し、分割映像信号としてメモリ１０１に書き込む。
【００１９】
図２に示すような監視レコーダー１１から入力される映像の、“Ｖ１”〜“Ｖ１６”の各映像の範囲は、座標で特定することができる。
例えば、図３は、図２に対して、座標を示した図であり、映像全体の左上を（０、０）としたとき、右上は、（１９１９、０）、左下は、（０、１０７９）、右下は、（１９１９、１０７９）になる。各映像の解像度は、４８０ドット×２７０ドットなので、例えば、図３の“Ｖ１”の映像は、（０、０）、（４７９、０）、（０、２６９）、（４７９、２６９）の４つの座標で囲まれる領域になる。
【００２０】
同様に、“Ｖ２”〜“Ｖ１５”についても、座標で特定され、映像入力分割部１０２は、監視レコーダー１１から入力された映像を、座標を用いて各映像に分割し、分割映像信号として、メモリ１０１に書き込む。
なお、例として、監視レコーダー１１から送信される映像の分割数が１６の場合を説明したが、４分割や９分割等、他の分割数でも、座標を指定することで分割することができることは言うまでもない。
【００２１】
各階映像対応表記憶部１０３は、監視レコーダー１１から入力された映像を分割した時に、各分割映像信号が、どの階の監視カメラ１２の映像かを対応付ける、図４に示した各階映像対応表を記憶している。
すなわち、図２に示す映像“Ｖ１”〜“Ｖ１６”は、監視レコーダー１１から入力された映像の分割映像信号の領域を示しており、これらの分割映像信号が、それぞれどこの映像なのかを特定するため、図４に示す各階映像対応表では、分割映像信号領域２０１とカメラ設置場所２０２とを対応付けるとともに、これらにさらにエレベーター停止階情報２０３によって、エレベーター制御部１３から送信される停止階情報を関連付けている。
【００２２】
このエレベーター停止階情報２０３は、例えば、エレベーター制御部１３から送信されるエレベーターの停止階情報と同じか否かの判断に使用される。例えば、分割映像信号領域２０１の“Ｖ１”は、カメラ設置場所２０２が“１階乗場”で、エレベーター停止階情報２０３が１階を示す“１階”であるとすると、エレベーター制御部１３からの停止階情報が、エレベーターが１階に到着したこと、又は到着予定であることを知らせる時などに、エレベーター停止階情報２０３の“１階”を参照して、それに対応する“Ｖ１”の映像を用いて表示などを行う。
【００２３】
図１に戻り、映像縮小制御部１０４は、エレベーター制御部１３から送信される停止階情報と、各階映像対応表記憶部１０３に記憶されている各階映像対応表における、エレベーター停止階情報２０３及び分割映像信号領域２０１の情報を用いて、後述するように、映像解像度記憶部１０９の記憶情報に基づき、メモリ１０１に書き込まれた分割映像信号をモニター１４の画面サイズに合わせて縮小し、かつ必要に応じてアスペクト比の違いに対応するためのトリミング処理や、上下黒帯の挿入処理を行い、縮小映像信号としてメモリ１０１に書き込むものである。
【００２４】
映像縮小・拡大制御部１０５は、エレベーター制御部１３から送信される次に停止する階の情報と、各階映像対応表記憶部１０３に記憶されている各階映像対応表における、エレベーター停止階情報２０３及び分割映像信号領域２０１の情報を用いて、メモリ１０１に書き込まれた分割映像信号をさらに縮小し、必要に応じて拡大し、また必要に応じて、アスペクト比の違いに対応するためのトリミング処理や、上下黒帯の挿入処理を行い、縮小・拡大映像信号としてメモリ１０１に書き込むものである。
なお、「縮小・拡大」という表現は、「縮小し、必要に応じて拡大する」という意味であり、これについては、追って説明する。
【００２５】
この映像縮小・拡大制御部１０５で生成される縮小・拡大映像信号は、エレベーターが次に停止する階の映像を、モニター１４で大きく表示するように生成されたものである。そのため、分割映像信号を、モニター１４の解像度及び分割映像信号の解像度によって、縮小又は必要に応じて拡大して、アスペクト比の違いに対応するためのトリミング処理や、上下黒帯の挿入処理を行い、縮小・拡大映像信号として生成する。
【００２６】
映像加工部１０６は、エレベーター制御部１３から送信される停止階情報と、各階映像対応表記憶部１０３に記憶されているエレベーター停止階情報２０３及び分割映像信号領域２０１の情報とを用いて、メモリ１０１に書き込まれた縮小映像信号のうち、エレベーターが停止しない階の縮小映像信号の、輝度を下げる、色成分を除去する、モザイク加工する、又は網掛けする等の加工を行い、縮小加工映像信号としてメモリ１０１に書き込むものである。これについても後述する。
【００２７】
映像配列部１０７は、エレベーター制御部１３から送信される停止階情報及び次に停止する階の情報と、各階映像対応表記憶部１０３に記憶されているエレベーター停止階情報２０３及び分割映像信号領域２０１の情報とを用いて、次に停止する階の縮小・拡大映像信号と、次に停止する階以外の縮小映像信号、及び縮小加工映像信号を、メモリ１０１から読み出して、画面配列した表示映像信号として構成し、メモリ１０１に書き込むものである。
【００２８】
すなわち、映像配列部１０７では、次に停止する階の映像は、縮小・拡大映像信号を用いて大きく表示し、それ以外の階については、縮小映像信号や、縮小加工映像信号を用いて小さく表示する。表示例については、動作例で後述する。
【００２９】
映像出力部１０８は、エレベーター制御部１３から送信されるエレベーター運行情報を用いて、メモリ１０１に書き込まれた表示映像信号を読み出して、モニター１４に出力するものである。
【００３０】
また、映像解像度記憶部１０９は、監視レコーダー１１から入力される映像の全体解像度、分割数、モニター１４の全体の解像度、縮小映像の解像度、縮小・拡大映像の解像度、並びに、縮小映像及び縮小・拡大映像を生成するときのアスペクト比の処理方法を記憶したものである。
【００３１】
次に、動作例について説明する。
監視レコーダー１１からは、図２に示すような複数の監視カメラ１２の映像を一つの画面上に表示した映像が出力されており、映像表示装置１０の映像入力分割部１０２で、各映像に分割し、分割映像信号として、メモリ１０１に書き込む。
【００３２】
この時、映像入力分割部１０２では、入力される映像の構成、すなわち監視レコーダー１１から出力される映像の全体の解像度と、どのように分割可能かについては、映像解像度記憶部１０９に記憶されており、例えば、解像度がフルハイビジョンの１９２０ドット×１０８０ドット、分割数が１６であれば、それに対応した座標を用いて、図２に示すように分割を行い、分割映像信号としてメモリ１０１に書き込む。
このとき、各階映像対応表記憶部１０３に記憶されている各階映像対応表に従って、メモリ１０１に書き込まれた各分割映像信号が、どの階の映像かを関連付けることができる。
【００３３】
また、監視レコーダー１１では、エレベーターの乗場以外に設置された監視カメラの映像を記録することもあるため、図４の各階映像対応表のエレベーター停止階情報２０３において、例えば、“×”と記載されているところは、エレベーター制御部１３から送信される停止階情報とは連動しない。このことから、監視レコーダー１１が一般的なレコーダーであって、エレベーターとは関係の無い映像が記録・表示されていたとしても、各階映像対応表のエレベーター停止階情報２０３に“×”と記載されていれば、使用しないように構成することができる。
【００３４】
次に、映像縮小制御部１０４、映像縮小・拡大制御部１０５、及び映像加工部１０６は、エレベーター制御部１３から送信される、エレベーターの停止階情報及び次に停止する階の情報を受信して、以下の各映像信号を生成する。
【００３５】
まず、映像縮小制御部１０４は、メモリ１０１に書き込まれている図２の分割映像信号を、エレベーター制御部１３から送信される停止階情報と、各階映像対応表記憶部１０３に記憶されている各階映像対応表を用いて、停止する階の分割映像を縮小して縮小映像信号を生成し、メモリ１０１に書き込む。なお、停止する階とは、エレベーターが停止することができる階のことで、例えば、階は有るが、エレベーターは停止しないか、あるいはドアがなくて停止できない階等については含まないものとする。
【００３６】
ここで、生成する縮小映像信号の解像度は、映像解像度記憶部１０９に記憶されている。すなわち、縮小映像信号の解像度は、映像配列部１０７で画面配列するときに使用する映像の解像度であり、例えば、モニター１４の解像度が、３２０ドット×２４０ドットとして、横に４つの縮小映像を並べる場合、一つの縮小映像信号は、８０ドット×６０ドットになる。また、５つ並べる場合は、６４ドット×４８ドットとなる。これら、モニター１４の解像度、縮小映像を並べる数、及びメモリ１０１に書き込まれている分割映像信号の解像度については、予め映像解像度記憶部１０９に記憶させておくことで、映像縮小制御部１０４はそれを参照して縮小率を決めることができる。
【００３７】
また、監視レコーダー１１は、フルハイビジョンの解像度で出力し、そのアスペクト比は、１６：９になっており、各分割映像のアスペクト比も、１６：９になっている。
一方、モニター１４は、アスペクト比として、１６：９のモニターの他、上記の３２０ドット×２４０ドットのように、４：３のモニターもある。
【００３８】
そのため、映像縮小制御部１０４では、アスペクト比の違いに対応するために、１６：９の映像の両端を削除して、４：３のアスペクト比にするトリミング処理や、１６：９の映像の上下に黒帯を追加して、４：３のアスペクト比にする上下黒帯追加処理を併せて行う。
アスペクト比１６：９である４８０ドット×２７０ドットの分割映像を、アスペクト比４：３である３６０ドット×２７０ドットにするためのトリミング処理の例を図５に示す。図５に示す通り、両端それぞれ、６０ドット×２７０ドット分の映像データ（図５の３０１、３０２）が削除され、３６０ドット×２７０ドット分の映像データ（図５の３０３）のみを表示する。
【００３９】
或いは、アスペクト比１６：９である４８０ドット×２７０ドットの分割映像を、アスペクト比４：３である４８０ドット×３６０ドットにする上下黒帯追加処理の例を図６に示す。図６に示す通り、上下それぞれ、４８０ドット×４５ドットの映像データ（図６の３１１、３１２）が追加される。
【００４０】
このアスペクト比の違いに対応する処理方法として、トリミング処理を行うか、上下黒帯追加処理を行うかについては、映像解像度記憶部１０９に予め記憶しておき、これを映像縮小制御部１０４が参照して処理を行うことになる。
【００４１】
次に、映像縮小・拡大制御部１０５は、メモリ１０１に書き込まれている図２の分割映像信号を、エレベーター制御部１３から送信される次に停止する階を表す次停止階情報と、各階映像対応表記憶部１０３に記憶されている各階映像対応表とを用いて、次に停止する階の分割映像信号を縮小・拡大して、縮小・拡大映像信号を生成し、メモリ１０１に書き込む。
【００４２】
また、映像縮小制御部１０４での処理と同様に、必要に応じて、映像解像度記憶部１０９に記憶されているアスペクト比の処理方法に従って、１６：９の映像の両端を削除して４：３のアスペクト比にするトリミング処理、又は１６：９の映像の上下に黒帯を追加して４：３のアスペクト比にする上下黒帯追加処理を併せて行う。
【００４３】
ここで生成する縮小・拡大映像信号の解像度は、映像解像度記憶部１０９に記憶されている。すなわち、縮小・拡大映像信号の解像度は、映像配列部１０７で配列するときに使用する映像の解像度であり、例えば、モニター１４の解像度が、３２０ドット×２４０ドットとして、横を４分割、縦を４分割して、Ｌ字型に縮小映像を並べて、縮小・拡大映像を、縮小映像の横３つ分、縦３つ分の映像として表示する場合、２４０ドット×１８０ドットになる。
【００４４】
この時の表示例を、図７に示す。図７において、縮小映像“Ｓ１”、“Ｓ２”、“Ｓ４”〜“Ｓ８”は、それぞれ、図２における原映像“Ｖ１”、“Ｖ２”、“Ｖ４”〜“Ｖ８”に対応しており、図７の映像“Ｌ３”は、図２における“Ｖ３”の拡大映像である。図２の各分割映像サイズは、４８０ドット×２７０ドットであり、縮小映像のサイズは、横に４つ配列しているので、一つの縮小映像は、解像度が８０ドット×６０ドットになる。拡大映像Ｌ３は、縮小映像の３つ分になるので、２４０ドット×１８０ドットになり、元の分割映像の解像度４８０ドット×２７０ドットから、２４０ドット×１８０ドットになるように、映像縮小・拡大制御部１０５で、縮小処理と、トリミング処理又は上下黒帯追加処理を行う。
【００４５】
また、モニター１４の解像度が、８００ドット×６００ドットで、図７と同様の配列をした場合、縮小映像（“Ｓ１”、“Ｓ２”等）は、２００ドット×１５０ドット、拡大映像（“Ｌ３”）は、６００ドット×４５０ドットとなる。従って、拡大映像Ｌ３については、元の分割映像の解像度４８０ドット×２７０ドットよりも拡大させる必要がある。この「拡大」もモニター１４の画面の大きさや解像度によっては「縮小」になるが（これが大半である）、上記のように、時には「拡大」にもなるという意味で、「縮小・拡大」という表現がここでは使用されている。
【００４６】
このように、モニター１４の解像度、縮小映像を並べる数、及び縮小・拡大映像の解像度については、予め決めることができ、メモリ１０１に書き込まれている分割映像信号の解像度とともに、映像解像度記憶部１０９に記憶させておくことで、映像縮小・拡大制御部１０５はそれを参照し、拡大率又は縮小率を決めることができる。
【００４７】
次に、映像加工部１０６は、メモリ１０１に書き込まれている縮小映像信号を、エレベーター制御部１３から送信される停止階情報と、停止する予定の停止予定階情報と、各階映像対応表記憶部１０３に記憶されている各階映像対応表とを用いて、エレベーターが停止しない階の縮小映像信号の、輝度を下げる、色成分を除去する、モザイク加工する、又は網掛けする等の加工を行い、縮小加工映像信号としてメモリ１０１に書き込む。
【００４８】
上記の輝度を下げる処理は、縮小映像信号の輝度信号を一律に下げることで、暗くなった映像とする。
上記の色成分を除く処理は、縮小映像信号の色度信号をゼロとすることで、白黒映像とする。
上記のモザイク加工処理は、縮小映像信号を、例えば、８ドット×８ドット単位で平均化して、元の映像からは、ぼかした映像とする。
上記の網掛け処置は、既存の模様を縮小映像信号に重ねる処理であり、元の映像を確認し難くなる映像となる。
【００４９】
映像配列部１０７では、エレベーター制御部１３から送信されるエレベーターの停止階情報、次に停止する階の次停止階情報、及び停止する予定の停止予定階情報を受信して、各階映像対応表記憶部１０３に記憶されているエレベーター停止階情報２０３と分割映像信号領域２０１の情報とを用いて、メモリ１０１に書き込まれている縮小映像信号、縮小・拡大映像信号、及び縮小加工映像信号を用いて、モニター１４に表示するための映像の配列を行い、表示映像信号としてメモリ１０１に書き込む。
【００５０】
図８は、エレベーターが上昇方向に運行して、“３階”に到着する前の表示例である。映像“Ｌ３”は、図４に示す各階映像対応表の、各エレベーター停止階情報２０３から、“３階”のエレベーター乗場に設置された監視カメラの映像であり、縮小映像“Ｓ１”、“Ｓ２”、及び“Ｓ４”〜“Ｓ８”は、それぞれ、“１階”、“２階”、及び“４階”〜“８階”のエレベーター乗場に設置された監視カメラの映像である。また、縮小映像“Ｓ１”及び“Ｓ２”については、エレベーターは、次の停止階が“３階”になっていて、“１階”及び“２階”には到着しないので、映像加工部１０６で加工された縮小加工映像信号を用いる。
【００５１】
また、エレベーター制御部１３から送信されるエレベーターの停止階情報で、例えば、縮小映像“Ｓ５”及び“Ｓ７”にそれぞれ対応する“５階”及び“７階”に停止しない場合は、縮小映像“Ｓ５”及び“Ｓ７”についても、縮小加工映像信号を用いる。それ以外の縮小映像は、縮小映像信号を使用する。なお、図８では、縮小加工映像信号の表示については、“Ｓ１”の部分のように、グレー色で表現する。なお、このグレー色は図面では斜線部で示されている。また、以降の図においても同様に、縮小加工映像信号の表示については、グレー色（斜線部）で表現する。
【００５２】
また、別の表示例として、図９に示すように、エレベーターが上昇方向に運転しているときに、次に“３階”に到着する場合は、“４階”より上の階のエレベーター乗場に設置された監視カメラの映像のみ表示するように構成してもよい。
図９では、“５階”、“７階”、及び“１０階”には停止しない例を示しており、映像“Ｓ５”、“Ｓ７”、及び“Ｓ１０”は、縮小加工映像信号を用い、それ以外の縮小映像は、縮小映像信号を使用する。
【００５３】
さらに、エレベーターの運行範囲が、“１階”から“１５階”までとした場合、上昇方向に運転していて、“９階”に到着するときには、図１０に示すように、最上階（１５階）まで表示するように構成してもよい。
【００５４】
図１０は、“９階”に停止するときの例を示しており、“Ｌ９”は、“９階”の拡大映像信号であり、既に通過した“８階”のエレベーター乗場に設置された監視カメラの縮小映像である“Ｓ８”と、停止しない予定である“１０階”及び“１４階”のエレベーター乗場に設置された監視カメラの縮小映像である“Ｓ１０”及び“Ｓ１４”は、縮小加工映像信号を用い、それ以外の縮小映像は、縮小映像信号を使用する。
【００５５】
このように、映像配列部１０７は、エレベーター制御部１３から送信されるエレベーターの停止階情報、及び次に停止する階の情報に従って、縮小映像信号、縮小・拡大映像信号、及び縮小加工映像信号を並び替えて、表示映像信号として、メモリ１０１に書き込む。
そして、映像出力部１０８は、映像配列部１０７がメモリ１０１に書き込んだ表示映像信号を読み出して、モニター１４に送信するための信号を出力し、モニター１４で、表示を行う。
【００５６】
このように構成することで、エレベーターの動きに合わせて、次に停止する階のエレベーター乗場の状況を、拡大表示して、エレベーターの乗客に知らせることができ、また、エレベーターが停止しない予定の階のエレベーター乗場の映像を加工して見え難くすることで、停止する予定のエレベーター乗場の映像を、エレベーターの乗客に分かりやすく伝えることができる。
【００５７】
実施の形態２．
実施の形態１では、映像配列部１０７は、縮小映像については、停止しない予定の階については、映像加工部１０６で加工された縮小加工映像信号を用いて表示するように構成したが、本実施の形態２では、次以降に停止する階の縮小映像を、停止する順に並べるように構成する。
【００５８】
図１１は、１５階建てビルで、エレベーターが、次に“３階”に停止する予定で、その後、“４階”、“６階”、“８階”、“９階”、“１１階”、“１２階”、“１３階”、及び“１５階”に停止する予定の場合の表示例を示したものであり、停止しない予定の階については、縮小映像を表示しない。
この図１１では、表示できる縮小映像に限りがあるため、“１５階”が表示されていないが、エレベーターが運行されるに従って表示される。例えば、エレベーターが“４階”に到着するときには、図１２に示すように、“１５階”の縮小映像が表示されることになる。
【００５９】
さらに、エレベーターの運行が進んで、“６階”に到着する前には、図１３のように、“１５階”に停止してから、エレベーターが続けて運行（最上階に到着した場合は、その後下降方向に、最下階に到着した時は、その後上昇方向に運行）した時に、停止する可能性が有る順番で、かつ現在停止しない予定の階の縮小加工映像信号を表示する。本実施の形態では、“１４階”が相当し、図１３のように、“１４階”の縮小加工映像信号を表す  “Ｓ１４”のグレー色（斜線部）表示となる。
【００６０】
このように、映像配列部１０７は、エレベーターが運行して、停止する順番に縮小映像信号を配列し、エレベーターが、停止する予定の階が無く、配列する縮小映像信号が、無くなった場合は、現在停止しない予定の階であって、かつエレベーターが運行していて、停止する可能性が有る順に、縮小加工映像信号を配列するように構成してもよい。
【００６１】
このように構成することで、エレベーターの乗客に、停止する予定の階のエレベーター乗場の状況を分かりやすく伝えることができ、降車時の安全性を向上することができる。
また、縮小映像信号、縮小・拡大映像信号、又は縮小加工映像信号の表示に、それぞれ対応する階の階床情報を、“１Ｆ”又は“２Ｆ”のように表示してもよい。図１４は、図１３に、階床情報を追加した表示例である。縮小・拡大映像信号を表示している階は、“６階”であるため、“６Ｆ”と表示する（図１４の４０１）。また、縮小映像信号及び縮小加工映像信号についても、階床情報を、例えば、“８Ｆ”などのように表示する（図１４の４０２）。
【００６２】
このように表示することで、エレベーターの乗客は、それぞれ降車する階の状況を分かりやすく確認することができる。
【００６３】
実施の形態３．
高層ビル等、エレベーター階床が多い場合で、監視レコーダー１１の解像度がフルハイビジョンの４倍の４Ｋ（３８４０ドット×２１６０ドット等）、８倍の８Ｋ（７６８０ドット×４３２０ドット等）となった場合、監視レコーダー１１からの映像に含まれる分割映像の数は、２５又は３６等に増やすことが可能になる。
【００６４】
実施の形態１、２では、縮小映像信号、縮小・拡大映像信号、又は縮小加工映像信号は、エレベーターの運行に併せて、映像配列部１０７が切り換えていたが、停止階が多くなり、監視レコーダー１１からの映像に含まれる分割映像数が増える場合、以下のように構成してもよい。
【００６５】
すなわち、映像配列部１０７は、縮小・拡大映像信号、縮小映像信号、又は縮小加工映像信号を表示可能な範囲で第１の表示映像信号として配列してメモリ１０１に書き込み、表示できなかった縮小映像信号又は縮小加工映像信号を、縮小・拡大映像信号とともに第２の表示映像信号として配列してメモリ１０１に書き込み、さらに表示できなかったものを、同様に、第３の表示映像信号として配列してメモリ１０１に書き込み、以降、第Ｎの表示映像信号を配列して、メモリ１０１に書き込む。第Ｎの表示映像信号では、縮小映像信号又は縮小加工映像信号が、不足する可能性があるが、その場合は、利用頻度の高い階や、ビルの入口の階のエレベーター乗場の映像等を、縮小映像信号又は縮小加工映像信号として使用してもよい。
【００６６】
そして、メモリ１０１の第１から第Ｎの表示映像信号を、映像出力部１０８が切り換えて、モニター１４に表示するように構成してもよい。
【００６７】
すなわち、図１５は、４０階建てのビルに設置された、１階と２０階以上に停止するエレベーターで、１階から出発して、２０階に到着するまでの、モニター１４に表示される表示映像信号の例を示す。
図１５（ａ）では、“２０階”の拡大映像信号Ｌ２０と“２１階”から“２７階”の縮小映像信号又は縮小加工映像信号Ｓ２１〜Ｓ２７を使用し、図１５（ｂ）では、“２０階”の拡大映像信号Ｌ２０と、“２８階”から“３４階”の縮小映像信号又は縮小加工映像信号Ｌ２８〜Ｌ３４を使用し、図１５（ｃ）では、“２０階”の拡大映像信号Ｌ２０と、“３５階”から“４０階”の縮小映像信号又は縮小加工映像信号Ｌ３５〜Ｌ４０と、“１階”の縮小加工映像信号Ｓ１とを使用して、表示映像信号を構成し、エレベーターが、１階から２０階に到着するまでの間に、図１５（ａ）〜（ｃ）を映像出力部１０８が切り換えて表示するように構成する。
【００６８】
このように、縮小・拡大映像信号、縮小映像信号、及び縮小加工映像信号を配列した表示映像信号を複数用意して、それを切り換えることで、階床の多いエレベーターにおけるエレベーター乗場の映像を、エレベーターの乗客に提供することができるため、エレベーターの乗客が降車するときの安全性を向上させることができる。
【図１】
2018008093.tif 000003
【図２】
2018008093.tif 000004
【図３】
2018008093.tif 000005
【図４】
2018008093.tif 000006
【図５】
2018008093.tif 000007
【図６】
2018008093.tif 000008
【図７】
2018008093.tif 000009
【図８】
2018008093.tif 000010
【図９】
2018008093.tif 000011
【図１０】
2018008093.tif 000012
【図１１】
2018008093.tif 000013
【図１２】
2018008093.tif 000014
【図１３】
2018008093.tif 000015
【図１４】
2018008093.tif 000016
【図１５】
2018008093.tif 000017
【国際調査報告】
2018008093.tif 000018
2018008093.tif 000019
2018008093.tif 000020
2018008093.tif 000021